(57)【要約】      （修正有）【課題】  地上アナログテレビ放送とデジタル放送の両方に対応するテレビジョン放送受信機における地上アナログテレビ放送終了時の不具合を解消する。【解決手段】  地上アナログテレビ放送用のネットワークを選択するボタンを有するリモコン装置を用いて、まず地上アナログテレビ放送に対応する地上デジタルテレビ放送が受信できるか否かについて調べる。全てのチャネルのアナログ放送が終了しており、かつ、それぞれのアナログ放送に対応するデジタル放送のチャネルが対応する地上デジタルテレビ放送が受信できた場合には、例えばテレビ受信機のＧＵＩを使用して、テレビのマイコンに対して、アナログサービスを選局するワンタッチボタンの無効設定を行うように設定する。【選択図】  図１
2006222766.tif 000002
【特許請求の範囲】
【請求項１】
地上アナログテレビ放送の受信と地上デジタルテレビ放送の受信とが可能なテレビジョン放送受信機であって、該テレビジョン放送受信機の本体又は該本体を遠隔操作するためのリモコン装置のうち少なくともいずれか一方に地上アナログテレビ放送へのアクセスボタンを有するテレビジョン放送受信機において、
前記地上アナログテレビ放送が終了した旨を検出した場合に、前記アクセスボタンによる前記地上アナログテレビ放送へのアクセスのための操作を無効にする制御を行うことを特徴とするテレビジョン放送受信機。
【請求項２】
前記テレビジョン放送受信機の画面上にＧＵＩを表示させて前記地上アナログテレビ放送に対する操作の無効化を行うか否かに関する選択を促すことを特徴とする請求項１に記載のテレビジョン放送受信機。
【請求項３】
前記操作を無効にした場合に、該操作を無効にした旨をメモリに記憶させておくことを特徴とする請求項１又は２に記載のテレビジョン放送受信機。
【請求項４】
前記地上デジタルテレビ放送のサービスが受信可能であることを条件に、対応するアナログ放送を選局する操作であって無効にした操作を、前記対応する地上デジタルテレビ放送の視聴に関連付けすることを特徴とする請求項３に記載のテレビジョン放送受信機。
【請求項５】
地上デジタルテレビ放送中に含まれる受信が可能になった旨の情報に基づいて、該地上デジタルテレビ放送と対応する地上アナログテレビ放送を選局するワンタッチボタンを無効にする制御を行うことを特徴とする請求項１に記載にテレビジョン放送受信機。
【請求項６】
前記地上アナログテレビ放送へのアクセスを行うための操作ボタンを操作した際に、前記地上デジタルテレビ放送において対応する前記地上アナログテレビ放送の全てのサービスが受信できた場合に、前記操作ボタンによる操作を無効にする制御を行うことを特徴とする請求項１に記載のテレビジョン放送受信機。
【請求項７】
前記アナログ放送のあるチャネルに対応するサービスが前記デジタル放送で受信可能と判断された場合に、前記アナログ放送のうちのあるチャネルを選局するボタンを無効化することを特徴とする請求項１に記載のテレビジョン放送受信機。
【請求項８】
ある契機における少なくともアナログ放送の受信周波数帯域までのスキャンに基づいて前記アナログ放送を終了させることを特徴とする請求項１から７までのいずれか１項に記載のテレビジョン放送受信機。
【発明の詳細な説明】
【技術分野】
【０００１】
本発明は、テレビジョン放送受信機及びその操作装置に関し、特に、異なる方式への移行に伴う誤操作を防止する技術に関する。  
【背景技術】
【０００２】
地上デジタル放送は、2003年12月1日から、関東・近畿・中京の３大広域圏で、地上波のＵＨＦ帯を使用して開始され、アナログ周波数変更対策のため段階的に送信電力増強の段階にあり、地域によって受信可能時期が異なる状況にある。一方、地上アナログ放送は、2011年7月までに終了が予定されている。このような状況を考慮し、アナログ放送からデジタル放送に切り替わっても、シームレスな受信を可能にする技術が提案されている（例えば、特許文献１参照）  
【０００３】
【特許文献１】特開２００３−２１９３１２号公報
【発明の開示】
【発明が解決しようとする課題】
【０００４】
しかしながら、上記発明は、リモコンを地上アナログテレビ放送受信と地上デジタルテレビ放送受信に共通のボタンで使えるようにする構成とするものであるが、「ARIB TR-B14 1.5版  第二編  地上デジタルテレビジョン放送  受信機機能仕様書10.1  ワンタッチボタンの割り当て例」に示されるように、リモコンのワンタッチボタンに対する割り当てが、従来のアナログ放送受信とは異なるためリモコンを地上アナログテレビ放送受信と地上デジタルテレビ放送受信に共通のボタンで使えるようにする構成とはせず、例えば特開2004-147066号に示されるリモコンのように、アナログ放送受信とデジタル放送受信で使用するボタンを別々に備えるものや、放送切替ボタンで時間的に分割して共通のボタンを使用するものが多く存在している。
【０００５】
このようなテレビジョン放送受信機では、地上デジタルテレビ放送受信可能後、あるいは、地上アナログテレビ放送終了後の地上アナログテレビ放送受信用ボタンに対する扱いについても検討が必要であるにもかかわらず、これまでは検討がなされていなかった。このため、地上アナログテレビ放送と地上デジタルテレビ放送とでは、同じコンテンツが放送されている現状において、高精細なテレビ受信機においては、デジタル放送とアナログ放送とで同じサービスが受信可能な場合に、高画質なデジタル放送を受信する方が好まれる。しかしながら、誤って地上アナログテレビ放送を選局し視聴してしまう場合や、将来的に、地上アナログテレビ放送が終了した後に誤って選局してしまった場合には、現在のアナログテレビで放送のないチャンネルを選局してしまった場合と同様な状態、例えば画面はノイズのみの写った状態となり、音声もザーというノイズが入るのみで不快な思いをすることになる。
【課題を解決するための手段】
【０００６】
本発明は、地上アナログテレビ放送又は地上デジタルテレビ放送に関するテレビの受信状況に応じて、地上アナログテレビ放送が終了しているか否かを検出し、検出の結果に応じて、アナログ放送が終了している場合には、終了しているアナログ放送の視聴に関する操作を無効化する。この際、無効にする処理は自動でも良く、或いは手動にて行うことも可能である。すなわち、アナログ放送を選局する手段を自動又は手動で廃止する。
【０００７】
また、地上アナログテレビ放送を選択する操作ボタンを全て無視する設定をテレビ画面などにおけるＧＵＩに基づき可能にすることもできる。地上アナログテレビ放送が終了したことを自動で検知すると、地上アナログテレビ放送を選択するボタンが押されても全て無視するように制御することもできる。地上アナログテレビ放送のネットワークを選択するボタンが押されても無視する設定をＧＵＩで可能にする。
【０００８】
また、地上アナログテレビ放送のネットワークを選択するボタンがある場合には、地上アナログテレビ放送が終了したことを自動で検知し、地上アナログテレビ放送のネットワークを選択するボタンが押されても無視するように制御することもできる。
【０００９】
地上デジタルテレビ放送のうちの１サービスが受信可能となった場合は、ＧＵＩにおいて同一のアナログサービスを選局するワンタッチボタンが押されても無視する設定を例えばテレビジョン放送受信機の表示画面に提示する。そのうち、地上デジタルテレビ放送の１サービスが受信可能となった場合は、ストリームに含まれる情報を用いて、自動で同一のアナログサービスを選局するワンタッチボタンが押されても無視するように制御する。
【発明の効果】
【００１０】
本発明によれば、以下の効果を奏する。
(1)．ユーザーが、誤って地上アナログテレビ放送を選局することを防止し、利便性を向上することができる。(2)．(1)に加え、GUIで設定する手間を省くことが可能であり利便性の向上が図れる。(3)．地上アナログテレビ放送のネットワークを選択するボタンを所有する受信機に対しては、有効であり、該当ボタンによって、ユーザーが誤って地上アナログテレビ放送を選局することを防ぎ、利便性の向上が図れる。(4)．(3)に加え、GUIで設定する手間を省くことが可能であり利便性の向上が図れる。(5)．地上アナログテレビ放送用のワンタッチボタンを備える受信機において、サービスによって受信可能時期の異なる場合に、地上デジタルテレビ放送で受信可能なサービスを誤って地上アナログサービスで受信してしまうことを防ぎ、利便性の向上が図れる。(6)．(5)に加え、GUIで設定する手間を省くことが可能であり利便性の向上が図れる。
【発明を実施するための最良の形態】
【００１１】
以下の実施の形態においては、全ての地上アナログテレビ放送が、２０１１年７月に終了するものとして説明を行う。
【００１２】
図２は、本発明の実施の形態によるテレビジョン放送受信機の構成例を示す機能ブロック図である。図２に示すように、テレビジョン放送受信機１は、図示しない中継局から送信される複数のテレビ放送電波を受信するアンテナ２と、アンテナ２において受信されるＲＦ放送電波から視聴を希望するアナログ放送電波の信号を選択して復調し、映像・音声信号を出力するためのアナログ放送受信部３と、各伝送路の特性に応じたデジタル変調方式を用いて変調された信号（地上波にはＯＦＤＭ（直交周波数分割多重）変調方式が用いられる）のうちから、視聴を希望するデジタル放送電波のＲＦ信号を選択して復調し、映像データと音声データとが多重化されたトランスポートストリームデータを得るためのデジタル放送受信部４と、デジタル放送受信部４で得られたＴＳを復号し、映像・音声信号に変換して出力する映像・音声デコード部５と、アナログ放送の映像・音声信号と、デジタル放送の映像・音声信号を切り替える切り替え部６と、切り替え部６を制御する切り替え信号を発生させる制御部７と、従来のアナログテレビジョン放送受信機でオートプリセットや無信号時にブルーバックを表示するために用いられてきたアナログ放送が放送されているか否かを自動的に判定する信号有無検出部８と、デジタル放送受信部４に内蔵されてデジタル放送が放送されているか否かを自動的に判定する自動判定部９と、リモコンポジションに対応して、放送局名、アナログ放送のチャネル番号、デジタル放送のチャネル番号などを予めテーブルとして有するテーブル記憶部１０と、テレビジョン放送受信機１を使用するために視聴者が操作する操作ボタン等が設けられるリモコン装置ＲＣと、を有している。尚、図２に示す構成例は、一般的なテレビジョン放送受信機の構成である。
【００１３】
図１は、本実施の形態によるリモコン装置の構成例を示す図である。図１に示すように、本実施の形態によるリモコン装置ＲＣは、電源オン／オフボタン２１と、チャネル選択用ボタン２３と、地上アナログテレビ放送のネットワークを選択するボタン２５と、地上デジタルテレビ放送のネットワークを選択するボタン２７と、ＢＳデジタル放送を選択するボタン３１と、ＣＳ放送を選択するボタン３５と、を有している。
【００１４】
次に本実施の形態による動作について図３を参照しつつ説明を行う。図３（ａ）は、地上アナログ放送の終了を検出するための処理の流れを示すフローチャート図である。本実施の形態によるテレビジョン放送受信機では、ユーザーがテレビを視聴していない期間を検知して、地上アナログ放送の終了を検出する周波数スキャン動作に入る。例えば、電源OFF後、すぐに本スキャン動作を開始するため、アナログ検出処理Ｓ１ａに入る。スキャンは地上アナログテレビ放送が配置される可能性のある全てのチャンネルに対して周波数の低いチャンネルから順次行う。まず１ｃｈの周波数９３ＭＨｚにアナログ放送が有るか無いかをアナログ検出処理Ｓ１ａで判断する。アナログ放送が有りと判断された場合は（Ｎ）処理は終了する。アナログ放送が無しと判断された場合（Ｙ）であって、全てのチャネルの処理が終了していない場合には（Ｎ）アナログ検出処理Ｓ１ａへ戻り、次の２ｃｈの周波数にアナログ放送が有るか無いかを判断する。このような処理で全てのチャンネルにおいて行い、アナログ放送が検出されなかった場合（Ｓ２ａでＹ、Ｓ３ａでもＹ）、地上Ａボタン２５に対する無効フラグをセットし、以降、地上Ａボタン２５の操作がユーザーによって行われ、リモコン受信部１１で受信され、制御部７へ通知されても無効と判断し、選局動作を行わない。
【００１５】
図３（ｂ）は、アナログ検出処理Ｓ１ａの処理の詳細を示すフローチャート図である。指定された周波数でデジタル放送選局Ｓ１ｂを行う。次にＳ２ｂでは、自動判定部９からの情報でデジタル放送であるか否かを判断し、デジタル放送であると判断されると（Ｙ）アナログ放送なしと判断する。デジタル放送でないと判断されると（Ｎ）、Ｓ３ｂへ処理が移行し、アナログ放送受信部で同一周波数のアナログ放送選局を行う。次にＳ４ｂでは、信号有無検出部８で信号無しと判断されれば（Ｙ）アナログ放送なしと判断する。信号有りと判断されれば（Ｎ）アナログ放送有りと判断する。
【００１６】
尚、アナログチャネルのスキャン処理は、上記の例ではユーザーが電源をオフした際に行われる例について説明したが、その他の機会、例えば、初期スキャン時、又は再スキャン時に、上記処理を組み入れることにより、アナログ放送の終了を確認することができる。
【００１７】
以上、本実施の形態によるテレビジョン放送受信機によれば、アナログ放送が終了しているか否かを検出し、検出の結果、アナログ放送が終了していた場合には、アナログ放送のネットワークに接続するためのボタン操作を無効にする処理を行うことにより、誤って地上アナログテレビ放送を選局し、画面が砂の嵐状で音声もザーというノイズになる状態を防止することができ、不快な思いをすることがなくなる。
【００１８】
また、上記実施の形態では、自動的にアナログ放送の終了を確認したが、ＧＵＩなどを準備し、地上アナログテレビ放送のネットワークを選択するボタンを無効に設定するようにしたり、ユーザーが地上アナログテレビ放送のネットワークを選択するボタンを押した場合、テレビ画面に、「このボタンは無効です」というような表示を行ったり音声で知らせたりすることでも同様の効果が得られる。
【００１９】
次に、本発明の第２の実施の形態によるテレビジョン放送受信機について図面を参照して説明を行う。本実施の形態によるテレビジョン放送受信機は、地上アナログテレビ放送用のチャネル選択ボタンを有するリモコン装置の場合に適用できる。図４は、本実施の形態によるテレビジョン放送受信機に用いられるリモコン装置の構成例を示す図である。図４に示すように、本実施の形態によるテレビジョン放送受信機用のリモコン装置は、電源オン／オフボタン２１と、地上アナログテレビ放送サービスを選局する専用のワンタッチボタン２３と、放送切り替えボタン４１と、デジタル放送サービスを選局するワンタッチボタン４３と、を有している。放送切り替えボタンは、地上デジタルと、ＢＳデジタルと、ＣＳデジタルと、のネットワークを順番に切り替えることができる。
【００２０】
図５（ａ）は、本実施の形態によるテレビジョン放送受信機の動作の流れを示すフローチャート図である。図５（ｂ）は、地上アナログテレビ放送サービスを選局する専用のワンタッチボタンのそれぞれのボタンに対応する地上アナログ選局テーブルの例を示す図である。
【００２１】
テレビジョン放送受信機は、テーブル記憶部１０に図５（ｂ）に示す地上アナログテレビ放送サービスを選局する専用のワンタッチボタン２３のそれぞれのボタンに対応付けされた地上アナログ選局テーブルを保持している。このテーブルでは、それぞれのボタンにおいて選局すべき周波数、選局可否フラグ、地上デジタルテレビ放送でのネットワーク識別が登録されている。選局可否フラグは、該当のワンタッチボタンがユーザーに操作されたときに選局動作を行うか否かを示している。また、地上デジタルテレビ放送でのネットワーク識別とは、該当するワンタッチボタンに登録された周波数のサービスを行っている放送局が、地上デジタルテレビ放送でサービスを行っている際に使用している識別子であり、放送局を特定可能なものである。
【００２２】
次にテーブルの更新方法について説明する。テレビジョン放送受信機においては、地上デジタル放送を受信する際、ユーザーの居住地域で、どの放送局が受信できるのかがわからないため、受信機が全てのチャンネルを順次選局して、放送波の有り・無しを調査する初期スキャン機能と、放送局の新規開局などにともなう新局のチャンネルリストへの登録のために行う再スキャン機能を持つ。
【００２３】
初期スキャン又は再スキャン時に地上デジタル放送が検出された場合、図５（ａ）に示す地上アナログ選局テーブル検索Ｓ２１に処理を移し、検出された地上デジタル放送のストリームに含まれるネットワーク識別と一致するサービスがアナログ選局テーブルに含まれるかどうか検索する。Ｓ２２の処理では含まれるか否かによって分岐処理を行い、含まれていれば（Ｙ）、ステップＳ２３において該当サービスの選局可否フラグを否に更新する。含まれていなければ（Ｎ）、そのまま処理を終了する。
【００２４】
次に、上記処理により更新されたアナログ選局テーブルを使用したテレビジョン放送受信機の制御方法について説明する。例えば、図５（ｂ）に示されたアナログ選局テーブルが上記の更新処理においてネットワーク識別０ｘ７ＦＥ０を持つ地上デジタル放送が検出され、選局可否フラグが可に更新されているものとする。ここでユーザーによって、地上アナログテレビ放送サービスを選局する専用のワンタッチボタン２３の（１）が操作された場合、テレビジョン放送受信機のリモコン受信部１１から当該ボタン（１）が押されたことを示す信号が入力される。制御部７は、リモコン受信部１１から入力された信号を受信し、当該ボタン（１）が押されたことを認識する。ここで図５（ｂ）に示されたアナログ選局テーブルの選局可否フラグを参照し否であることを確認すると無効と判断し処理を終了する。
【００２５】
以上に説明したように、本実施の形態によるテレビジョン放送受信機によれば、地上アナログテレビ放送サービスを選局する専用のワンタッチボタンを有するリモコン装置の場合に、地上デジタルテレビ放送で地上アナログテレビ放送のあるチャネルのサービスが受信できる場合には、地上アナログテレビ放送の該当するチャネルの選局ボタンを無効にすることで、誤って地上アナログテレビ放送を選局することが防止できる。また、当該の地上アナログテレビ放送が終了してしまった後に、誤って地上アナログテレビ放送を選局し、画面が砂の嵐状で音声もザーというノイズになる状態を防止することができ、不快な思いをすることがなくなる。
【００２６】
また、上記実施例では、自動でアナログ放送の終了を確認したが、ＧＵＩなどを準備し、地上アナログテレビ放送のネットワークを選択するボタンを無効に設定するようにしたり、ユーザーが地上アナログテレビ放送のネットワークを選択するボタンを押した場合、テレビ画面に、「このボタンは無効です」というような表示を行ったり音声で知らせたりすることでも同様の効果が得られる。さらに、地上デジタル放送が検出された場合、検出された地上デジタル放送のストリームに含まれるネットワーク識別と一致するサービスがアナログ選局テーブルに含まれるかどうか検索し含まれている場合、アナログ選局テーブルに登録された周波数情報を地上デジタル放送の検出された周波数情報に更新しても同様の効果が得られる。
【００２７】
さらに上記実施の形態においては、本発明の第１の実施の形態の説明において説明した地上Ａボタンを具備しないリモコン例で説明したが、地上Ａボタンを具備している場合には、地上アナログ選局テーブルの選局可否フラグが全て否となった場合に地上Ａボタンを無効にする無効フラグをセットするよう構成してもよい。
【産業上の利用可能性】
【００２８】
本発明は、地上アナログテレビ放送と地上デジタルテレビ放送の選局が可能なテレビジョン放送受信機に利用可能である。
【図面の簡単な説明】
【００２９】
【図１】本発明の第１の実施の形態によるリモコン装置の構成例を示す図である。
【図２】本発明の実施の形態によるテレビジョン放送受信機の一般的な構成例を示す機能ブロック図である。
【図３】本発明の第１の実施の形態によるテレビジョン放送受信機の動作の流れを示すフローチャート図である。
【図４】本発明の第２の実施の形態によるテレビジョン放送受信機に用いられるリモコン装置の構成例を示す図である。
【図５】図５（ａ）は、本発明の第２の実施の形態によるテレビジョン放送受信機の動作の流れを示すフローチャート図である。図５（ｂ）は、地上アナログテレビ放送サービスを選局する専用のワンタッチボタンのそれぞれのボタンに対応する地上アナログ選局テーブルの例を示す図である。
【符号の説明】
【００３０】
１…テレビジョン放送受信機１、２…アンテナ、３…アナログ放送受信部、４…デジタル放送受信部、５…映像・音声デコード部、６…切り替え部、７…制御部、８…信号有無検出部、９…自動判定部、１０…テーブル記憶部、１１…リモコン受信部、ＲＣ…リモコン装置
【図１】
2006222766.tif 000003
【図２】
2006222766.tif 000004
【図３】
2006222766.tif 000005
【図４】
2006222766.tif 000006
【図５】
2006222766.tif 000007